(57)【要約】【課題】脈流電源によりＬＥＤを駆動するＬＥＤ照明装置を、外部からのＤｕｔｙ信号を受けて、ちらつきを抑えて調光する。【解決手段】商用交流電源Ｖｓを整流して脈流直流電源に変換する整流手段ＤＢと、その出力電圧を検出してタイミング信号を出力する脈流電源検出手段１と、１つまたは複数のＬＥＤと電流制限用の抵抗Ｒ１，Ｒ２を含むＬＥＤ負荷部２と、整流手段ＤＢとＬＥＤ負荷部２の間に直列に挿入されて、ＬＥＤに流れる電流をＯＮ／ＯＦＦ制御可能なスイッチ素子Ｔｒ１と、商用交流電源Ｖｓとは周波数が異なる矩形波信号よりなり、外部から供給される調光用のＤｕｔｙ信号を受けて、Ｄｕｔｙ比に応じた直流電圧を出力するＤｕｔｙ−電圧変換手段４と、脈流電源検出手段１から出力されるタイミング信号を受けてスイッチ素子Ｔｒ１をＯＮし、そのＯＮ時間をＤｕｔｙ−電圧変換手段４から出力される直流電圧に応じて可変制御する制御回路５を有する。【選択図】図１
2009105016.tif 000002
【特許請求の範囲】
【請求項１】
商用交流電源を整流して脈流直流電源に変換する整流手段と、
前記整流手段から出力される脈流直流電源の電圧を検出してタイミング信号を出力する脈流電源検出手段と、
１つまたは複数のＬＥＤと電流制限用の抵抗を含んで構成されるＬＥＤ負荷部と、
前記整流手段と前記ＬＥＤ負荷部の間に直列に挿入されて、ＬＥＤに流れる電流をＯＮ／ＯＦＦ制御可能なスイッチ素子と、
商用交流電源とは周波数が異なる矩形波信号よりなり、外部から供給される調光用のＤｕｔｙ信号を受けて、Ｄｕｔｙ比に応じた直流電圧を出力するＤｕｔｙ−電圧変換手段と、
前記脈流電源検出手段から出力されるタイミング信号を受けて前記スイッチ素子をＯＮし、そのＯＮ時間を前記Ｄｕｔｙ−電圧変換手段から出力される直流電圧に応じて可変制御する制御回路を有することを特徴とするＬＥＤ照明装置。
【請求項２】
商用交流電源を整流して脈流直流電源に変換する整流手段と、
前記整流手段から出力される脈流直流電源の電圧を検出してタイミング信号を出力する脈流電源検出手段と、
１つまたは複数のＬＥＤを含んで構成されるＬＥＤ負荷部と、
前記整流手段と前記ＬＥＤ負荷部の間に直列に挿入されて、制御端子に印加される電圧に応じてＬＥＤ負荷部に流れる電流を可変制御する半導体素子と、
前記半導体素子の制御端子に一定電圧を印加して、ＬＥＤ負荷部に流れる電流を一定に制御する定電流制御手段と、
前記定電流制御手段により前記半導体素子の制御端子に印加される一定電圧をＯＮ／ＯＦＦすることによりＬＥＤ負荷部に流れる一定電流をＯＮ／ＯＦＦ制御するスイッチ素子と、
商用交流電源とは周波数が異なる矩形波信号よりなり、外部から供給される調光用のＤｕｔｙ信号を受けて、Ｄｕｔｙ比に応じた直流電圧を出力するＤｕｔｙ−電圧変換手段と、
前記脈流電源検出手段から出力されるタイミング信号を受けて前記スイッチ素子を制御することで、前記半導体素子を介してＬＥＤ負荷部に流れる前記一定電流をＯＮし、そのＯＮ時間を前記Ｄｕｔｙ−電圧変換手段から出力される直流電圧に応じて可変制御する制御回路を有することを特徴とするＬＥＤ照明装置。
【請求項３】
請求項１または２において、前記制御回路は、前記Ｄｕｔｙ−電圧変換手段から出力される直流電圧に応じたパルス幅の繰り返しパルス信号を生成し、その繰り返しパルス信号を前記スイッチ素子のＯＮ／ＯＦＦ信号として出力する回路であることを特徴とするＬＥＤ照明装置。
【請求項４】
請求項１〜３のいずれかにおいて、前記脈流電源検出手段は、前記整流手段から出力される脈流直流電源の電圧が、すべてのＬＥＤが点灯可能な電圧よりも高くなったときに前記タイミング信号を出力する回路であることを特徴とするＬＥＤ照明装置。
【発明の詳細な説明】
【技術分野】
【０００１】
本発明は商用交流電源により駆動されるＬＥＤ照明装置に関するものである。
【背景技術】
【０００２】
近年、白色ＬＥＤの高出力化により、従来表示などが主目的で使用していたＬＥＤ（発光ダイオード）を、照明用途に使用する動きが活発である。交流１００Ｖの電源からＬＥＤを駆動する方式として、スイッチング電源を使った直流電源装置による方式と、抵抗素子をＬＥＤに直列に接続して定電圧の直流電圧を印加してＬＥＤ電流を制御する方式がある。前者は高電流で比較的少ないＬＥＤを駆動する方式として高効率化を目指す場合によく用いられているが、後者は比較的ＬＥＤ電流が少なく、多数のＬＥＤを駆動する場合に用いられている。例えば、交流１００Ｖの電源のピーク電圧は１４１Ｖであり、白色ＬＥＤの素子電圧Ｖｆはおおよそ３．３Ｖ〜４．０Ｖであるので、そのＬＥＤを直列に２０個並べると、その素子電圧Ｖｆの合計はその２０倍の６６Ｖ〜８０Ｖの範囲となり、交流１００Ｖの電源を整流し、その脈流直流電圧（ピーク電圧１４１Ｖ）から、抵抗素子を直列に接続して電流制御を行うことでＬＥＤに定格電流を流し、ＬＥＤを発光させている。
【０００３】
一方、特にビル・オフィス等の事務所環境下の照明器具としては、従来から直管ランプを用いたインバータ式蛍光灯器具が商品化され、近年では、環境問題から省エネルギーの目的で、外光に合わせた光出力の制御を行うライトコントローラを搭載した照明システムも提案されている。この照明システムは、光センサーとの連動で、インバータ式蛍光灯器具の光出力を調光制御する方式である。このような照明システムに用いられているライトコントロールの信号は、ＤＣ１０Ｖ、周波数１ｋＨｚのＤｕｔｙ信号が一般的に用いられている。そのＤｕｔｙ信号のＯＮ−ＯＦＦ比を変化させてライトコントロールの信号をインバータ式蛍光灯器具に送って、そのＤｕｔｙ比に応じた光出力制御を行っている。
【０００４】
ＬＥＤ照明装置においても、このＤＣ１０Ｖ、周波数１ｋＨｚのＤｕｔｙ信号を使って、調光制御を行う方式が提案されている。これらはインバータ式蛍光灯器具と同じく、半導体のスイッチ素子を使って高周波電力を発生し、その高周波電力を整流・平滑した直流電源にてＬＥＤを点灯させるスイッチング電源方式が採用され、スイッチング電源の出力電圧をＤｕｔｙ信号のＤｕｔｙ比に応じて変化させてＬＥＤへの供給電流を可変させている方式である。このスイッチング電源方式では、インバータ式蛍光灯器具と同じく、高周波のスイッチングによる高周波ノイズが発生するという課題、また、回路構成も複雑となり、コストが高くなるなどの課題があった。
【０００５】
これに対して、交流１００Ｖの電源を整流した脈流直流電源からＬＥＤを駆動させる方式では、高周波スイッチングを行わないため、高周波ノイズが発生せず、回路構成も簡単な回路で構成できるために、コスト的にも有利な方式である。
【０００６】
そこで、脈流直流電源からＬＥＤを駆動させる方式において、上述のＤＣ１０Ｖ、周波数１ｋＨｚのＤｕｔｙ信号によるライトコントロールを適用した回路構成が図６の従来例である。ＬＥＤ回路にはＡＣ１００Ｖを整流した、ピーク電圧が１４１Ｖの脈流電圧が印加され、脈流電圧のピークがＬＥＤの素子電圧Ｖｆの合計を越えた時点で、ＬＥＤに電流が流れる。この回路例ではＬＥＤ１０個を直列に接続した回路を２回路並列に接続した例である。その回路に上述のライトコントロールのＤｕｔｙ信号を入力し、そのＤｕｔｙ信号を受けて、トランジスタＴｒ１のＯＮ−ＯＦＦでＬＥＤへの電流供給を強制的に断続する方式である。この方式では簡単な回路構成でＤｕｔｙ信号により調光制御が出来るので、低コストの調光可能型のＬＥＤ照明器具が構成できる。
【０００７】
特許文献１には、Ｄｕｔｙ信号によりＬＥＤを調光可能としたＬＥＤ照明装置が開示されている。
【特許文献１】特開２００３−１５７９８６号公報
【発明の開示】
【発明が解決しようとする課題】
【０００８】
しかし、図６のような方式においては、交流１００Ｖの電源を整流した脈流電圧に対して、ライトコントロールからのＤｕｔｙ信号が、完全に分離して動作するため、電源周波数が６０Ｈｚの場合、交流１サイクル内のＤｕｔｙ信号は脈流電圧に対して、図７のような動作波形となる。ＬＥＤへ供給される電流は、直列接続されたＬＥＤの素子電圧Ｖｆの合計以上の電圧になった時にＯＮし、電流が供給されるが、脈流電源の波形によって、ＯＮする期間が少しずつずれていくため、各サイクルでのＬＥＤ電流の平均値が少しずつ変動してしまう。その変動が目に見えるちらつきとして発生するという欠点を有していた。
【０００９】
本発明は上述のような点に鑑みてなされたものであり、脈流電源によりＬＥＤを駆動するＬＥＤ照明装置において、外部からのＤｕｔｙ信号を受けて、ちらつきの少ない調光を実現することを課題とする。
【課題を解決するための手段】
【００１０】
請求項１のＬＥＤ照明装置は、上記の課題を解決するために、図１に示すように、商用交流電源Ｖｓを整流して脈流直流電源に変換する整流手段ＤＢと、前記整流手段ＤＢから出力される脈流直流電源の電圧を検出してタイミング信号を出力する脈流電源検出手段１と、１つまたは複数のＬＥＤと電流制限用の抵抗Ｒ１，Ｒ２を含んで構成されるＬＥＤ負荷部２と、前記整流手段ＤＢと前記ＬＥＤ負荷部２の間に直列に挿入されて、ＬＥＤに流れる電流をＯＮ／ＯＦＦ制御可能なスイッチ素子Ｔｒ１と、商用交流電源Ｖｓとは周波数が異なる矩形波信号よりなり、外部から供給される調光用のＤｕｔｙ信号を受けて、Ｄｕｔｙ比に応じた直流電圧を出力するＤｕｔｙ−電圧変換手段４と、前記脈流電源検出手段１から出力されるタイミング信号を受けて前記スイッチ素子Ｔｒ１をＯＮし、そのＯＮ時間を前記Ｄｕｔｙ−電圧変換手段４から出力される直流電圧に応じて可変制御する制御回路５を有することを特徴とするものである。
【００１１】
請求項２のＬＥＤ照明装置は、同じ課題を解決するために、図４に示すように、商用交流電源Ｖｓを整流して脈流直流電源に変換する整流手段ＤＢと、前記整流手段ＤＢから出力される脈流直流電源の電圧を検出してタイミング信号を出力する脈流電源検出手段１と、１つまたは複数のＬＥＤを含んで構成されるＬＥＤ負荷部と、前記整流手段ＤＢと前記ＬＥＤ負荷部の間に直列に挿入されて、制御端子に印加される電圧に応じてＬＥＤ負荷部に流れる電流を可変制御する半導体素子Ｔｒ２と、前記半導体素子Ｔｒ２の制御端子に一定電圧を印加して、ＬＥＤ負荷部に流れる電流を一定に制御する定電流制御手段（抵抗Ｒ７，Ｒ８、ツェナーダイオードＺＤ２）と、前記定電流制御手段により前記半導体素子Ｔｒ２の制御端子に印加される一定電圧をＯＮ／ＯＦＦすることによりＬＥＤ負荷部に流れる一定電流をＯＮ／ＯＦＦ制御するスイッチ素子Ｔｒ１と、商用交流電源Ｖｓとは周波数が異なる矩形波信号よりなり、外部から供給される調光用のＤｕｔｙ信号を受けて、Ｄｕｔｙ比に応じた直流電圧を出力するＤｕｔｙ−電圧変換手段４と、前記脈流電源検出手段１から出力されるタイミング信号を受けて前記スイッチ素子Ｔｒ１を制御することで、前記半導体素子Ｔｒ２を介してＬＥＤ負荷部に流れる前記一定電流をＯＮし、そのＯＮ時間を前記Ｄｕｔｙ−電圧変換手段４から出力される直流電圧に応じて可変制御する制御回路５を有することを特徴とするものである。
【００１２】
請求項３の発明は、請求項１または２の発明において、前記制御回路５は、前記Ｄｕｔｙ−電圧変換手段４から出力される直流電圧に応じたパルス幅の繰り返しパルス信号を生成し、その繰り返しパルス信号を前記スイッチ素子Ｔｒ１のＯＮ／ＯＦＦ信号として出力する回路であることを特徴とする。
【００１３】
請求項４の発明は、請求項１〜３のいずれかの発明において、前記脈流電源検出手段１は、前記整流手段ＤＢから出力される脈流直流電源の電圧が、すべてのＬＥＤが点灯可能な電圧よりも高くなったときに前記タイミング信号を出力する回路であることを特徴とする。
【発明の効果】
【００１４】
請求項１の発明によれば、単純な抵抗ドロップの方式により脈流電源から直接ＬＥＤを駆動しながら、外部からの調光用のＤｕｔｙ信号を受けて、ちらつきの少ないＬＥＤ照明器具を実現できる効果がある。
【００１５】
請求項２の発明によれば、定電流回路を付加したことにより、調光のリニアリティを高めることができる。
【００１６】
請求項３の発明によれば、商用交流電源から引き込む入力電流の力率を改善できる効果がある。
【００１７】
請求項４の発明によれば、複数のＬＥＤ回路が並列に接続されている場合においてもＬＥＤの素子電圧のばらつきによるちらつきを防止できる。
【発明を実施するための最良の形態】
【００１８】
（実施形態１）
図１に本発明の実施形態１の回路構成を示す。図中、Ｖｓは商用交流電源（例えば、ＡＣ１００Ｖ、５０／６０Ｈｚ）である。ＤＢはダイオードブリッジのような全波整流器であり、商用交流電源Ｖｓを全波整流した脈流直流電圧を出力する。１は脈流電源検出回路であり、前記全波整流器ＤＢから出力される脈流直流電源の電圧を検出してタイミング信号を出力する。
【００１９】
２はＬＥＤ負荷部であり、複数個のＬＥＤを直列に接続してなるＬＥＤ直列回路（ＬＥＤ１，ＬＥＤ２）を備え、これらに電流制限用の抵抗Ｒ１，Ｒ２をそれぞれ直列接続した回路を並列接続して構成されている。ここでは、２回路並列に接続してあるが、個数は限定されるものではない。ＬＥＤ負荷部２と全波整流器ＤＢとの間には、トランジスタ等のスイッチ素子Ｔｒ１が直列に挿入されており、ＬＥＤに流れる電流をＯＮ／ＯＦＦ制御可能としている。
【００２０】
３は調光器（ライトコントローラ）であり、照度センサや人体検知センサ等を組み込まれて、状況に応じて適切な光出力となるように調光信号を生成する。この調光信号は、商用交流電源Ｖｓとは電圧並びに周波数が異なる矩形波信号（例えば、１０Ｖ、１ｋＨｚ）よりなり、Ｈｉｇｈ／ＬｏｗのＤｕｔｙ比を可変とすることにより、調光レベルを可変とする。
【００２１】
４はＤｕｔｙ−電圧変換手段であり、調光器３からのＤｕｔｙ信号を受けて、そのＤｕｔｙ比に応じた直流電圧を生成する。
【００２２】
５は制御回路であり、脈流電源検出回路１から出力されるタイミング信号と、Ｄｕｔｙ−電圧変換手段４から出力される直流電圧に基づいて、スイッチ素子Ｔｒ１のＯＮ／ＯＦＦを制御する。具体的には、前記脈流電源検出回路１から出力されるタイミング信号を受けて、制御回路５の出力電圧ＶｏｕｔのＯＮのタイミングを決定し、Ｄｕｔｙ−電圧変換手段４から出力される直流電圧に応じて出力電圧ＶｏｕｔのＯＮ幅を決定している。
【００２３】
図２に本実施形態の具体回路構成を示す。交流電源Ｖｓと全波整流器ＤＢの交流入力端子の間にはヒューズＦが直列に挿入されている。全波整流器ＤＢの直流出力端子には抵抗Ｒ３，Ｒ４の直列回路が接続され、その分圧点の電圧はツェナーダイオードＺＤ１のカソードに印加されている。ツェナーダイオードＺＤ１のアノードは、制御回路５のトリガー端子Ｔｒｉｇに接続されている。抵抗Ｒ３，Ｒ４とツェナーダイオードＺＤ１により図１の脈流電源検出回路１が構成されている。
【００２４】
調光器３からのＤｕｔｙ信号は、抵抗Ｒ５，Ｒ６の直列回路に印加されており、抵抗Ｒ６と並列にコンデンサＣ１が接続されている。Ｄｕｔｙ信号がＨｉｇｈレベル（１０Ｖ）のときは抵抗Ｒ５を介してコンデンサＣ１が充電され、Ｌｏｗレベル（０Ｖ）のときは抵抗Ｒ５，Ｒ６を介してコンデンサＣ１が放電される。これにより、コンデンサＣ１にはＤｕｔｙ信号のＯＮ／ＯＦＦのＤｕｔｙ比に応じた直流電圧Ｖｄが充電される。抵抗Ｒ５，Ｒ６とコンデンサＣ１の時定数は、コンデンサＣ１に生成される直流電圧Ｖｄが安定し、なお且つ、Ｄｕｔｙ比の変化に対して比較的速やかに追従できるように選定される。これにより図１のＤｕｔｙ−電圧変換手段４が構成されている。
【００２５】
ところで、図１、図２に示すように、ＬＥＤ点灯回路が複数のＬＥＤ直列回路（ＬＥＤ１，ＬＥＤ２）を並列接続して成る場合においては、ＬＥＤの素子電圧Ｖｆのばらつきにより、脈流の直流電圧を受けてＬＥＤがＯＮするタイミングがずれると、並列接続された複数の回路について、ＬＥＤ電流がＯＮするタイミングがずれるという問題がある。そこで、脈流電源検出回路１の検出電圧（図２のツェナーダイオードＺＤ１のツェナー電圧あるいは抵抗Ｒ３，Ｒ４の分圧比）をＬＥＤの直列回路（ＬＥＤ１，ＬＥＤ２）における素子電圧Ｖｆの合計よりも高く設定することで、ＬＥＤの直列回路（ＬＥＤ１，ＬＥＤ２）のＯＮタイミングを同一に設定することが出来る。これにより、ＬＥＤの並列接続回路を有する場合において、全てのＬＥＤのＯＮタイミングをＬＥＤの素子電圧Ｖｆのばらつきに係わらず一定に制御することが出来る。
【００２６】
本実施形態では、全波整流器ＤＢの直流出力端子の電圧ＶDBが全てのＬＥＤがＯＮできる電圧Ｖｔｈになると、ツェナーダイオードＺＤ１が導通し、制御回路５にトリガー信号を与える。制御回路５は例えば単安定マルチバイブレータよりなり、トリガー信号を受けると、その立ち上がりのタイミングから図３に示すように、出力電圧Ｖｏｕｔを所定の時間ＴにわたりＯＮ状態に維持する。その所定の時間Ｔは、コンデンサＣ１の直流電圧Ｖｄのレベルに応じて可変制御される。
【００２７】
なお、図３の制御例では、所定の時間Ｔが経過した後も全波整流器ＤＢの直流出力端子の電圧ＶDBは全てのＬＥＤがＯＮできる電圧となっているが、出力電圧ＶｏｕｔがＯＦＦ状態（Ｌｏｗレベル）となり、スイッチ素子Ｔｒ１がＯＦＦされることで、ＬＥＤに流れる電流は強制的にＯＦＦとなる。
【００２８】
また、本実施形態の制御回路５はツェナーダイオードＺＤ１がＯＦＦ状態からＯＮ状態に変化してトリガー信号Ｔｒｉｇが立ち上がったタイミングでのみトリガーされ、所定の時間Ｔが経過した後は、ツェナーダイオードＺＤ１が一旦ＯＦＦ状態を経て次にＯＮ状態となるまでは再トリガーされないものとする。
【００２９】
以上のように制御することで、商用交流電源Ｖｓから直接、脈流電源で駆動するＬＥＤ照明をライトコントローラからの調光用のＤｕｔｙ信号で調光制御する場合において、脈流電源波形に同期した調光制御を行うことにより、ちらつきを防止できる。
【００３０】
（実施形態２）
図４に本発明の実施形態２の回路構成を示す。図１の実施形態１とは、ＬＥＤ負荷部の回路構成が異なり、ＬＥＤに直列にトランジスタＴｒ２を接続し、そのエミッタ側に抵抗素子Ｒ１を接続し、トランジスタＴｒ２のベースに抵抗Ｒ７，Ｒ８、ツェナーダイオードＺＤ２を接続して、定電流型の回路構成となっている。その定電流回路のトランジスタＴｒ２のベースをＯＮ−ＯＦＦ制御することで、ＬＥＤ直列回路（ＬＥＤ１）への電流をＯＮ−ＯＦＦ制御することが特徴である。脈流電源検出回路１、Ｄｕｔｙ−電圧変換手段４に関しては、実施形態１と同様の構成であり、同様の動作を行う。
【００３１】
図５に本実施形態の具体回路構成を示す。制御回路５の出力電圧Ｖｏｕｔは反転回路Ｎ１により論理を反転され、抵抗Ｒ９を介してスイッチ素子Ｔｒ１をＯＮ／ＯＦＦしている。
【００３２】
出力電圧ＶｏｕｔがＨｉｇｈレベルのとき、反転回路Ｎ１の出力はＬｏｗレベルであり、スイッチ素子Ｔｒ１はＯＦＦするから、トランジスタＴｒ２のベースにツェナーダイオードＺＤ２のツェナー電圧が印加される。このとき、ツェナーダイオードＺＤ２のツェナー電圧Ｖｚｄ２からトランジスタＴｒ２のベース・エミッタ間順方向電圧降下Ｖｂｅ２を差し引いた電圧が抵抗Ｒ１の両端に印加され、抵抗Ｒ１には、（Ｖｚｄ２−Ｖｂｅ２）／Ｒ１のエミッタ電流が流れる。したがって、ＬＥＤの直列回路（ＬＥＤ１）には、このエミッタ電流に相当するコレクタ電流が一定電流として流れることになる。この回路では、全波整流器ＤＢから出力される脈流直流電圧の瞬時値が変化しても、ＬＥＤ直列回路（ＬＥＤ１）に流れる電流は一定となる。
【００３３】
出力電圧ＶｏｕｔがＬｏｗレベルになると、反転回路Ｎ１の出力はＨｉｇｈレベルとなり、抵抗Ｒ９を介してスイッチ素子Ｔｒ１がＯＮとなることで、トランジスタＴｒ２のベースバイアスを消失させる。これにより、トランジスタＴｒ２はＯＦＦとなり、ＬＥＤ直列回路（ＬＥＤ１）に流れる電流は遮断される。
【００３４】
その他の構成及び動作については実施形態１と同様である。本実施形態では、定電流回路を付加したことにより、Ｄｕｔｙ信号のＤｕｔｙ比の変化に対して調光出力が比例的に変化することになり、調光のリニアリティを高めることができる。
【００３５】
（実施形態３）
本実施形態の回路構成は実施形態１または２と同じで良い。ただし、制御回路５の動作が異なる。上述の実施形態１、２では、制御回路５の動作として、ライトコントローラ（調光器）３からのＤｕｔｙ信号をＤｕｔｙ比に応じた直流電圧に変換し、この直流電圧に応じて制御回路５の出力電圧ＶｏｕｔのＯＮ幅を決定していたが、本実施形態では、ライトコントローラ（調光器）３からのＤｕｔｙ信号をＤｕｔｙ比に応じた直流電圧に変換し、この直流電圧に応じたパルス幅の繰り返しパルス信号を出力電圧Ｖｏｕｔとしている。
【００３６】
回路構成例としては、実施形態１，２では、制御回路５が単安定マルチバイブレータにより実現されていたのに対して、本実施形態では、制御回路５は無安定マルチバイブレータにより実現される。
【００３７】
例えば、図２または図５の回路において、制御回路５を無安定マルチバイブレータにより実現し、ツェナーダイオードＺＤ１がＯＮである期間中はコンデンサＣ１の直流電圧Ｖｄに応じたパルス幅の繰り返しパルス信号を出力電圧Ｖｏｕｔとして出力し、ツェナーダイオードＺＤ１がＯＦＦである期間中は発振を停止して、出力電圧ＶｏｕｔをＬｏｗレベルに維持するように構成すれば良い。
【００３８】
本実施形態によれば、ツェナーダイオードＺＤ１がＯＮである期間中は商用交流電源Ｖｓから間欠的に入力電流を引き込むことができるから、実施形態１，２に比べると、商用交流電源Ｖｓからの入力電流の実質的な休止期間が短くなり、入力力率を改善できる効果がある。つまり、実施形態１，２では、図３の所定時間Ｔでしか入力電流が流れないが、本実施形態では、脈流電源電圧ＶDBが所定の電圧Ｖｔｈ（ツェナーダイオードＺＤ１がＯＮとなる電圧）を超えている期間中は平均的に入力電流を流すことができ、電源環境が良好となる。
【００３９】
本発明では制御回路５を実現するための単安定マルチバイブレータや無安定マルチバイブレータの具体的な回路方式については特に限定しないが、汎用のタイマーＩＣを用いて簡単に実現できることは言うまでも無い。
【図面の簡単な説明】
【００４０】
【図１】本発明の実施形態１の基本構成を示す回路図である。
【図２】本発明の実施形態１の具体回路構成を示す回路図である。
【図３】本発明の実施形態１の動作説明のための波形図である。
【図４】本発明の実施形態２の基本構成を示す回路図である。
【図５】本発明の実施形態３の具体回路構成を示す回路図である。
【図６】従来例の回路構成を示す回路図である。
【図７】従来例の動作説明のための波形図である。
【符号の説明】
【００４１】
１  脈流電源検出回路
２  ＬＥＤ負荷部
３  調光器
４  Ｄｕｔｙ−電圧変換部
５  制御回路
Ｔｒ１  スイッチ素子
ＤＢ    整流手段
【図１】
2009105016.tif 000003
【図２】
2009105016.tif 000004
【図３】
2009105016.tif 000005
【図４】
2009105016.tif 000006
【図５】
2009105016.tif 000007
【図６】
2009105016.tif 000008
【図７】
2009105016.tif 000009